(57)【要約】【課題】  外部に空気が流出することなく冷却媒体流入口１０への空気の流通が阻害されない状態でガスタービン動翼１を流量計測装置に装着する。【解決手段】  傾斜支持面１４を傾斜保持面１２に嵌合した状態でシール部材１５をフレーム１３に挿入し、ガスタービン動翼１をフレーム１３側に押圧し、面圧が生じる状態で傾斜支持面１４を傾斜保持面１２に嵌合してガスタービン動翼１をフレーム１３に密着保持させ、外部に空気が流出することなく冷却媒体流入口１０への空気の流通が阻害されない状態でガスタービン動翼１を流量計測装置に装着する。【選択図】        図２
2004332718.tif 000002
【特許請求の範囲】
【請求項１】
内部に冷却媒体が導入される空洞の通路が形成されると共に通路に連通する冷却媒体流入口がロータへの埋込部の底面に形成されたガスタービン動翼を流量計測用の支持装置に支持するための動翼支持用治具であって、
動翼支持装置側に固定され内周面に傾斜保持面が形成されたフレームと、
ガスタービン動翼の埋込部の外周に嵌合保持され外周面にフレームの傾斜保持面に係合する傾斜支持面が形成されたシール部材とを備え、
傾斜支持面を傾斜保持面に嵌合した状態でシール部材をフレームに挿入し、ガスタービン動翼をフレーム側に押圧することで、面圧が生じる状態で傾斜支持面が傾斜保持面に嵌合されてガスタービン動翼がフレームに密着保持されることを特徴とする動翼支持用治具。
【請求項２】
内部に冷却媒体が導入される空洞の通路が形成されると共に通路に連通する冷却媒体流入口がロータへの埋込部の底面に形成されたガスタービン動翼を流量計測用の支持装置に支持するための動翼支持用治具であって、
動翼支持装置側に固定され内周面に保持面が形成されたフレームと、
ガスタービン動翼の埋込部の外周に傾斜面を介して嵌合保持され外周面にフレームの保持面に係合する支持面が形成されたシール部材とを備え、
支持面を保持面に嵌合した状態でシール部材をフレームに挿入し、ガスタービン動翼をフレーム側に押圧することで、埋込部と傾斜面の間に面圧が生じる状態でガスタービン動翼がフレームに密着保持されることを特徴とする動翼支持用治具。
【請求項３】
内部に冷却媒体が導入される空洞の通路が形成されると共に通路に連通する冷却媒体流入口がロータへの埋込部の底面に形成されたガスタービン動翼を流量計測用の支持装置に支持するための動翼支持用治具であって、
動翼支持装置側に固定され内周面に傾斜保持面が形成されたフレームと、
ガスタービン動翼の埋込部の外周に傾斜面を介して嵌合保持され外周面にフレームの傾斜保持面に係合する傾斜支持面が形成されたシール部材とを備え、
傾斜支持面を傾斜保持面に嵌合した状態でシール部材をフレームに挿入し、ガスタービン動翼をフレーム側に押圧することで、埋込部と傾斜面の間及び傾斜支持面と傾斜保持面の間に面圧が生じる状態で傾斜支持面が傾斜保持面に嵌合されてガスタービン動翼がフレームに密着保持されることを特徴とする動翼支持用治具。
【請求項４】
請求項１乃至請求項３のいずれか一項に記載の動翼支持用治具において、
フレームは金属製で構成されると共にシール部材は弾性材製で構成されることを特徴とする動翼支持用治具。
【請求項５】
請求項１乃至請求項４のいずれか一項に記載の動翼支持用治具において、
前記シール部材の底面よりも前記埋込部の先端が突き出る状態に前記シール部材が構成されていることを特徴とする動翼支持用治具。
【請求項６】
流量計測手段を備えた流路により流体供給源に接続されるチャンバを備え、請求項１乃至請求項５に記載の動翼支持用治具がチャンバに設けられたことを特徴とする動翼支持装置。
【請求項７】
内周面に傾斜保持面が形成されたフレームと、
ガスタービン動翼の埋込部の外周に嵌合保持され外周面にフレームの傾斜保持面に係合する傾斜支持面が形成されたシール部材と、
フレームが取り付けられるチャンバと、
流路を介してチャンバに接続される流体供給源と、
流路に設けられる流量計測手段と、
ガスタービン動翼の埋込部にシール部材が嵌合された状態でシール部材をフレームに挿入した際に傾斜支持面と傾斜保持面との間に面圧が生じるようにガスタービン動翼をフレーム側に押圧する押さえ手段とを備え、
ガスタービン動翼には内部に冷却媒体が導入される空洞の通路が形成されると共に通路に連通する冷却媒体流入口がロータへの埋込部の底面に形成され、
シール部材をフレームに挿入して押さえ手段によりガスタービン動翼をフレーム側に押圧することで、傾斜支持面と傾斜保持面との間に面圧が生じて冷却媒体流入口が外部と遮断された状態でチャンバの内部に臨み、
流体供給源からチャンバ内に流体を供給して冷却媒体流入口から空洞の通路に流体を流通させたときの流量計測手段の計測状況によりガスタービン動翼における空洞の通路の流通が計測されることを特徴とする流量計測装置
【請求項８】
請求項７に記載の流量計測装置において、
フレームは金属製で構成されると共にシール部材は弾性材製で構成されることを特徴とする流量計測装置。
【請求項９】
請求項７に記載の流量計測装置において、
前記シール部材の底面よりも前記埋込部の先端が突き出る状態に前記シール部材が構成されていることを特徴とする流量計測装置。
【発明の詳細な説明】
【技術分野】
【０００１】
本発明は、内部に冷却媒体が導入される空洞の通路が形成されたガスタービン動翼の冷却媒体の流量を計測するための流量計測装置及び流量計測装置における動翼支持装置及び動翼支持装置における動翼支持用治具に関する。
【背景技術】
【０００２】
ガスタービンはロータの円周方向にガスタービン動翼が設けられ、各ガスタービン動翼の間を流れる燃焼ガスにより回転軸が回転駆動され、例えば、圧縮機の駆動及び発電機の駆動を行なうものである。
【０００３】
ガスタービンには高温の燃焼ガスが導入され、前段側のガスタービン動翼及びガスタービン静翼は高温に晒されることになるため、内部に冷却媒体が導入される空洞の通路が形成された冷却翼がガスタービンの入口側のガスタービン動翼として用いられているものがある。
【０００４】
ガスタービン動翼の通路にはロータへの埋込部の底面に形成された冷却媒体流入口から冷却媒体（圧縮空気）が供給されるようになっており（例えば、特許文献１参照）、冷却媒体の流量が最適に調整されている（例えば、特許文献２参照）。また、冷却媒体の流量を的確にするため、冷却媒体流入口に用いられる流量プラグが提案されている（例えば、特許文献３参照）。
【０００５】
ガスタービン動翼にあっては、新翼完成時や品質管理における定期検査時等に、所定量の冷却媒体がガスタービン動翼の通路に流通しているか否かの計測が行なわれている。
【０００６】
この場合、ガスタービン動翼を流量計測装置に装着し、冷却媒体流入口から空気等を流通させて空気等の流量を計測することにより、所定量の冷却媒体がガスタービン動翼の通路に流通しているか否かを評価している。
【０００７】
ガスタービン動翼の流量計測装置への装着は、供給する空気が外部に漏れないようにするため、冷却媒体流入口（ロータへの埋込部の底面）に動翼支持用治具としてゴム製等のシール板部材を介在させて空気流入部に取付けるようにしている。ゴム製等のシール板部材には冷却媒体流入口と同一形状で同一配置の穴が形成され、外部に空気が流出することなく空気の流通が阻害されないようになっている。
【０００８】
即ち、図７に示すように、ガスタービン動翼８１はロータ側に保持されるクリスマスツリー型の埋込部８２が形成され、シャンク８３及びプラットホーム８４を挟んで翼部８５が形成されている。ガスタービン動翼８１には、内部に冷却媒体が導入される空洞の通路が形成されており、埋込部８２の底面には通路に連通する冷却媒体流入口８６が形成されている。
【０００９】
流量計測装置９０には空気をガスタービン動翼８１に供給するための箱体８７が設けられ、箱体８７の供給口８８に埋込部８２の冷却媒体流入口８６を合致させてガスタービン動翼８１が押え治具９１によって固定される。供給口８８と埋込部８２の冷却媒体流入口８６との間にはゴム製等のシール板部材（ゴム押え板）８９が設けられ、ゴム押え板８９には冷却媒体流入口８６と同一形状で同一配置の穴が形成されている。
【００１０】
ガスタービン動翼８１を流量計測装置９０に装着し、箱体８７の供給口８８から冷却媒体流入口８６に空気を供給し、ガスタービン動翼８１の内部の通路に空気等を流通させて空気等の流量を計測する。これにより、所定量の冷却媒体がガスタービン動翼８１の通路に流通しているか否かが評価される。供給口８８から冷却媒体流入口８６に供給される空気は、ゴム押え板８９により外部に漏れないようにされている。
【００１１】
【特許文献１】特開２０００−１２２０５号公報
【特許文献２】特開２００１−１２２０５号公報
【特許文献３】特開平１１−１３２００２号公報
【発明の開示】
【発明が解決しようとする課題】
【００１２】
ガスタービン動翼８１の従来の流量計測では、ゴム製等のシール板部材（ゴム押え板８９）を用いて外部に空気が流出することなく空気の流通が阻害されないようにされている。しかし、装着時に位置ずれが生じると、ゴム押え板８９の穴と冷却媒体流入口８６が干渉して冷却媒体流入口の８６の一部が閉塞することが考えられる。
冷却媒体流入口８６の一部が閉塞した場合、冷却媒体流入口８６から通路に流通する空気量が変動し、流量計測値に誤差が生じて正確な流量を計測することができなくなる虞があった。
【００１３】
本発明は上記状況に鑑みてなされたもので、外部に空気が流出することなく空気の流通が阻害されない状態でガスタービン動翼を流量計測装置に装着することができる動翼支持用治具を提供することを目的とする。
【００１４】
また、本発明は上記状況に鑑みてなされたもので、外部に空気が流出することなく空気の流通が阻害されない状態でガスタービン動翼を流量計測装置に装着することができる動翼支持用治具を用いた動翼支持装置を提供することを目的とする。
【００１５】
また、本発明は上記状況に鑑みてなされたもので、外部に空気が流出することなく空気の流通が阻害されない状態でガスタービン動翼が装着される動翼支持用治具を用いた動翼支持装置を備えた流量計測装置を提供することを目的とする。
【課題を解決するための手段】
【００１６】
上記目的を達成するための請求項１に係る本発明の動翼支持用治具の構成は、
内部に冷却媒体が導入される空洞の通路が形成されると共に通路に連通する冷却媒体流入口がロータへの埋込部の底面に形成されたガスタービン動翼を流量計測用の支持装置に支持するための動翼支持用治具であって、
動翼支持装置側に固定され内周面に傾斜保持面が形成されたフレームと、
ガスタービン動翼の埋込部の外周に嵌合保持され外周面にフレームの傾斜保持面に係合する傾斜支持面が形成されたシール部材とを備え、
傾斜支持面を傾斜保持面に嵌合した状態でシール部材をフレームに挿入し、ガスタービン動翼をフレーム側に押圧することで、面圧が生じる状態で傾斜支持面が傾斜保持面に嵌合されてガスタービン動翼がフレームに密着保持されることを特徴とする。
【００１７】
また、上記目的を達成するための請求項２に係る本発明の動翼支持用治具の構成は、
内部に冷却媒体が導入される空洞の通路が形成されると共に通路に連通する冷却媒体流入口がロータへの埋込部の底面に形成されたガスタービン動翼を流量計測用の支持装置に支持するための動翼支持用治具であって、
動翼支持装置側に固定され内周面に保持面が形成されたフレームと、
ガスタービン動翼の埋込部の外周に傾斜面を介して嵌合保持され外周面にフレームの保持面に固定される支持面が形成されたシール部材とを備え、
支持面を保持面に嵌合した状態でシール部材をフレームに挿入し、ガスタービン動翼をフレーム側に押圧することで、埋込部と傾斜面の間に面圧が生じる状態でガスタービン動翼がフレームに密着保持されることを特徴とする。
【００１８】
また、上記目的を達成するための請求項３に係る本発明の動翼支持用治具の構成は、
内部に冷却媒体が導入される空洞の通路が形成されると共に通路に連通する冷却媒体流入口がロータへの埋込部の底面に形成されたガスタービン動翼を流量計測用の支持装置に支持するための動翼支持用治具であって、
動翼支持装置側に固定され内周面に傾斜保持面が形成されたフレームと、
ガスタービン動翼の埋込部の外周に傾斜面を介して嵌合保持され外周面にフレームの傾斜保持面に係合する傾斜支持面が形成されたシール部材とを備え、
傾斜支持面を傾斜保持面に嵌合した状態でシール部材をフレームに挿入し、ガスタービン動翼をフレーム側に押圧することで、埋込部と傾斜面の間及び傾斜支持面と傾斜保持面の間に面圧が生じる状態で傾斜支持面が傾斜保持面に嵌合されてガスタービン動翼がフレームに密着保持されることを特徴とする。
【００１９】
そして、請求項４の本発明は、
請求項１乃至請求項３のいずれか一項に記載の動翼支持用治具において、
フレームは金属製で構成されると共にシール部材は弾性材製で構成されることを特徴とする。
【００２０】
また、請求項５の本発明は、
請求項１乃至請求項４のいずれか一項に記載の動翼支持用治具において、
前記シール部材の底面よりも前記埋込部の先端が突き出る状態に前記シール部材が構成されていることを特徴とする。
【００２１】
上記目的を達成するための請求項６に係る本発明の動翼支持装置の構成は、
流量計測手段を備えた流路により流体供給源に接続されるチャンバを備え、請求項１乃至請求項５に記載の動翼支持用治具がチャンバに設けられたことを特徴とする。
【００２２】
上記目的を達成するための請求項７に係る本発明の流量計測装置の構成は、
内周面に傾斜保持面が形成されたフレームと、
ガスタービン動翼の埋込部の外周に嵌合保持され外周面にフレームの傾斜保持面に係合する傾斜支持面が形成されたシール部材と、
フレームが取り付けられるチャンバと、
流路を介してチャンバに接続される流体供給源と、
流路に設けられる流量計測手段と、
ガスタービン動翼の埋込部にシール部材が嵌合された状態でシール部材をフレームに挿入した際に傾斜支持面と傾斜保持面との間に面圧が生じるようにガスタービン動翼をフレーム側に押圧する押さえ手段とを備え、
ガスタービン動翼には内部に冷却媒体が導入される空洞の通路が形成されると共に通路に連通する冷却媒体流入口がロータへの埋込部の底面に形成され、
シール部材をフレームに挿入して押さえ手段によりガスタービン動翼をフレーム側に押圧することで、傾斜支持面と傾斜保持面との間に面圧が生じて冷却媒体流入口が外部と遮断された状態でチャンバの内部に臨み、
流体供給源からチャンバ内に流体を供給して冷却媒体流入口から空洞の通路に流体を流通させたときの流量計測手段の計測状況によりガスタービン動翼における空洞の通路の流通が計測されることを特徴とする。
【００２３】
そして、請求項８の本発明は、
請求項７に記載の流量計測装置において、
フレームは金属製で構成されると共にシール部材は弾性材製で構成されることを特徴とする。
【００２４】
また、請求項９の本発明は、
請求項７に記載の流量計測装置において、
前記シール部材の底面よりも前記埋込部の先端が突き出る状態に前記シール部材が構成されていることを特徴とする。
【００２５】
流量計測装置の他の態様としては、
内周面に保持面が形成されたフレームと、
ガスタービン動翼の埋込部の外周に傾斜面を介して嵌合保持され外周面にフレームの保持面に固定される支持面が形成されたシール部材と、
フレームが取り付けられるチャンバと、
流路を介してチャンバに接続される流体供給源と、
流路に設けられる流量計測手段と、
ガスタービン動翼の埋込部にシール部材が嵌合された状態でシール部材をフレームに挿入した際に埋込部と傾斜面との間に面圧が生じるようにガスタービン動翼をフレーム側に押圧する押さえ手段とを備え、
ガスタービン動翼には内部に冷却媒体が導入される空洞の通路が形成されると共に通路に連通する冷却媒体流入口がロータへの埋込部の底面に形成され、
シール部材をフレームに挿入固定して押さえ手段によりガスタービン動翼をフレーム側に押圧することで、埋込部と傾斜面との間に面圧が生じて冷却媒体流入口が外部と遮断された状態でチャンバの内部に臨み、
流体供給源からチャンバ内に流体を供給して冷却媒体流入口から空洞の通路に流体を流通させたときの流量計測手段の計測状況によりガスタービン動翼における空洞の通路の流通が計測されることを特徴とする。
また、流量計測装置の他の態様としては、
内周面に傾斜保持面が形成されたフレームと、
ガスタービン動翼の埋込部の外周に傾斜面を介して嵌合保持され外周面にフレームの傾斜保持面に係合する傾斜支持面が形成されたシール部材と、
フレームが取り付けられるチャンバと、
流路を介してチャンバに接続される流体供給源と、
流路に設けられる流量計測手段と、
ガスタービン動翼の埋込部にシール部材が嵌合された状態でシール部材をフレームに挿入した際に埋込部と傾斜面との間及び傾斜支持面と傾斜保持面との間に面圧が生じるようにガスタービン動翼をフレーム側に押圧する押さえ手段とを備え、
ガスタービン動翼には内部に冷却媒体が導入される空洞の通路が形成されると共に通路に連通する冷却媒体流入口がロータへの埋込部の底面に形成され、
シール部材をフレームに挿入して押さえ手段によりガスタービン動翼をフレーム側に押圧することで、埋込部と傾斜面との間及び傾斜支持面と傾斜保持面との間に面圧が生じて冷却媒体流入口が外部と遮断された状態でチャンバの内部に臨み、
流体供給源からチャンバ内に流体を供給して冷却媒体流入口から空洞の通路に流体を流通させたときの流量計測手段の計測状況によりガスタービン動翼における空洞の通路の流通が計測されることを特徴とする。
【発明の効果】
【００２６】
請求項１の本発明では、外部に冷却媒体が流出することなく冷却媒体流入口への冷却媒体の流通が阻害されない状態でガスタービン動翼を流量計測装置に装着することができる動翼支持用治具とすることが可能になる。
【００２７】
請求項２の本発明では、外部に冷却媒体が流出することなく冷却媒体流入口への冷却媒体の流通が阻害されない状態でガスタービン動翼を流量計測装置に装着することができる動翼支持用治具とすることが可能になる。
【００２８】
請求項３の本発明では、外部に冷却媒体が流出することなく冷却媒体流入口への冷却媒体の流通が阻害されない状態でガスタービン動翼を流量計測装置に装着することができる動翼支持用治具とすることが可能になる。
【００２９】
請求項４の本発明では、金属製のフレームと弾性材製のシール部材とすることができる。
【００３０】
請求項５の本発明では、シール部材と埋込部の面圧が均等になりシール部材と埋込部との間のシールを確実に防止することができる。
【００３１】
請求項６の本発明では、外部に冷却媒体が流出することなく冷却媒体流入口への冷却媒体の流通が阻害されない状態でガスタービン動翼を流量計測装置に装着することができる動翼支持用治具を用いた動翼支持装置とすることが可能になる。
【００３２】
請求項７の本発明では、チャンバの外部に冷却媒体が流出することなく冷却媒体流入口への冷却媒体の流通が阻害されない状態でガスタービン動翼が装着される動翼支持用治具を用いた動翼支持装置を備えた流量計測装置とすることが可能になる。
【００３３】
請求項８の本発明では、金属製のフレームと弾性材製のシール部材とすることができる。
【００３４】
請求項９の本発明では、シール部材と埋込部の面圧が均等になりシール部材と埋込部との間のシールを確実に防止することができる。
【発明を実施するための最良の形態】
【００３５】
以下本発明の実施の形態を図面に基づき詳細に説明する。
【００３６】
図１には本発明の一実施形態例に係る動翼支持用治具にガスタービン動翼を取り付けた状態の斜視、図２には図１の断面、図３にはガスタービン動翼を装着した状態の流量計測装置の断面、図４には図３中のIV-IV 線断面、図５には他の実施形態例に係る流量計測装置の断面、図６には他の実施形態例に係る流量計測装置の断面を示してある。
【００３７】
図１、図２に示すように、ガスタービン動翼１はロータ（図示省略）側に保持されるクリスマスツリー型の埋込部２が形成され、シャンク３及びプラットホーム４を挟んで翼部（翼プロファイル部）５が形成されている。
【００３８】
ガスタービン動翼１には上下方向に延びる空洞が形成され、前縁から後縁にかけて、例えば、３つの通路６ａ，６ｂ，６ｃが形成されている。前縁側の通路６ａにはロータ側からの冷却媒体（例えば、圧縮空気）が送られる冷却流路７が連通している。
【００３９】
前縁側の通路６ａと中央部の通路６ｂとは上部の折り返し部８ａで連通し、通路６ａを上方に流れた冷却流体は折り返し部８ａで折り返して通路６ｂを下方に流れる。
【００４０】
通路６ｂと後縁側の通路６ｃとは下部の折り返し部８ｂで連通し、通路６ｂを下方に流れた冷却流体は折り返し部８ｂで折り返して通路６ｃを上方に流れる。通路６ｃを上方に流れた冷却流体は上端の排出口９から排出される。
【００４１】
埋込部２の底面には冷却流路７に連通する冷却媒体流入口１０が形成され、埋込部２がロータ側に保持された際に圧縮空気が冷却媒体流入口１０から冷却流路７に供給される。
【００４２】
尚、図示例のガスタービン動翼１の通路６の構成は一例であり、通路６の本数や圧縮空気の供給状況等は適宜変更可能である。例えば、４本の通路６と２本の冷却流路７で構成する等の構成が可能である。この場合、冷却流路７の本数に合わせて冷却媒体流入口１０も２箇所に形成される。
【００４３】
上記構成のガスタービン動翼１は、新翼完成時や品質管理における定期検査時等に、所定量の冷却媒体がガスタービン動翼の通路に流通しているか否かの計測が行なわれている。
【００４４】
この場合、ガスタービン動翼１を流量計測装置に装着し、冷却媒体流入口１０から空気等を流通させて空気等の流量を計測することにより、所定量の冷却媒体がガスタービン動翼１の通路６に流通しているか否かを評価している。
【００４５】
ガスタービン動翼１を流量計測装置に装着する場合には、ガスタービン動翼１を動翼支持用治具１１に取り付けて装着する。以下に動翼支持用治具１１を説明する。
【００４６】
動翼支持用治具１１は、動翼支持装置（後述する）側に固定され内周面に傾斜保持面１２が形成された金属製のフレーム１３と、ガスタービン動翼１の埋込部２の外周に嵌合保持され外周面にフレーム１３の傾斜保持面１２に係合する傾斜支持面１４が形成された、即ち、いわゆる楔型の弾性材製（例えば、ゴム製）のシール部材１５とで構成されている。
【００４７】
動翼支持用治具１１を用いることで、傾斜支持面１４を傾斜保持面１２に嵌合した状態でシール部材１５をフレーム１３に挿入し、ガスタービン動翼１をフレーム１３側に押圧することで、面圧が生じる状態で傾斜支持面１４が傾斜保持面１２に嵌合されてガスタービン動翼１がフレーム１３に密着保持される。
【００４８】
シール部材１５がスタービン動翼１の埋込部２の外周に嵌合保持された場合、図２、図３に示すように、シール部材１５の底面よりも埋込部２の先端が突き出る状態にされている。これにより、シール部材１５と埋込部２の面圧が均等になってシール部材１５と埋込部２との間からの空気の漏れを確実に防止することができる。
【００４９】
動翼支持用治具１１のフレーム１３は流量計測装置の動翼支持装置としてのチャンバに固定されている。
【００５０】
図３、図４に基づいて流量計測装置を説明する。
【００５１】
流量計測装置２１は、流路２２によりコンプレッサやブロア等の流体供給源２３に接続されるチャンバ２４を備えている。流体供給源２３からは流路２２を介してチャンバ２４の内部に空気が供給される。流路２２には流量計測手段２５が設けられ、流体供給源２３からチャンバ２４に供給される空気の流量が計測される。
【００５２】
チャンバ２４の上部には動翼支持用治具１１のフレーム１３が固定されている。ガスタービン動翼１を動翼支持用治具１１に装着することにより、埋込部２の冷却媒体流入口１０がチャンバ２４の内部に臨む状態でガスタービン動翼１が装着される。
【００５３】
ガスタービン動翼１の埋込部２にシール部材１５が嵌合された状態でシール部材１５をフレーム１３に挿入した際に、傾斜支持面１４と傾斜保持面１２との間に面圧が生じるようにガスタービン動翼１をフレーム１３側に押圧する押さえ手段２６が備えられている。
【００５４】
図４に示すように、押さえ手段２６はチャンバ２４に固定されるアクチュエータ３１を備えている。アクチュエータ３１の駆動によりアーム３２を介して押圧棒３３がガスタービン動翼１の埋込部２を下方側に押し付けるようになっている。即ち、シール部材１５の傾斜支持面１４がフレーム１３の傾斜保持面１２に押し付けられて傾斜支持面１４と傾斜保持面１２との間に面圧が生じる。
【００５５】
これにより、傾斜支持面１４と傾斜保持面１２との間が密着されてガスタービン動翼１の冷却媒体流入口１０が外部と遮断された状態でチャンバ２４の内部に臨むようになる。
【００５６】
動翼支持用治具１１を用いてガスタービン動翼１を流量計測装置２１に装着した状態で（図３、図４の状態）、流体供給源２３からチャンバ２４内に空気を供給すると、チャンバ２４の内部に臨む冷却媒体流入口１０から冷却流路７（図１、図２参照）に空気が供給される。
【００５７】
この状態で流量計測手段２５によりチャンバ２４に供給される空気の流量が計測され、冷却流路７（図１、図２参照）から通路６（図１、図２参照）を流通する空気の流量が計測される。
【００５８】
上述した動翼支持用治具１１を用いてガスタービン動翼１を流量計測装置２１に装着することにより、押さえ手段２６による上下方向の力でシール部材１５の傾斜支持面１４とフレーム１３の傾斜保持面１２との間に面圧を発生させることができる。このため、埋込部２を用いてガスタービン動翼１を装着した際のシールを行なうことができる。
【００５９】
そして、チャンバ２４の内部に臨む冷却媒体流入口１０を完全に露出させた状態でガスタービン動翼１が流量計測装置２１に装着されるので、計測用の空気が確実に冷却媒体流入口１０から冷却流路７に供給される。このため、正確な流量を計測することが可能になる。
【００６０】
従って、チャンバ２４の外部に空気が流出することなく冷却媒体流入口１０への空気の流通が阻害されない状態でガスタービン動翼１を流量計測装置２１に装着することができる動翼支持用治具１１とすることが可能になる。
【００６１】
また、チャンバ２４の外部に空気が流出することなく冷却媒体流入口１０への空気の流通が阻害されない状態でガスタービン動翼１を流量計測装置２１に装着することができる動翼支持用治具１１を用いた動翼支持装置とすることが可能になる。
【００６２】
また、チャンバ２４の外部に空気が流出することなく冷却媒体流入口１０への空気の流通が阻害されない状態でガスタービン動翼１が装着される動翼支持用治具１１を用いた動翼支持装置を備えた流量計測装置２１とすることが可能になる
【００６３】
図５に基づいて他の実施形態例を説明する。尚、図１乃至図４に示した部材と同一部材には同一符号を付して重複する説明は省略してある。
【００６４】
図に示しように、ガスタービン動翼４１の埋込部４２は断面が台形状に形成され、外周面４３が傾斜面となっている（クリスマスツリーを作成する前の状態）。
【００６５】
動翼支持用治具４４は動翼支持装置側に固定され内周面に保持面４５が形成された金属性のフレーム４６と、ガスタービン動翼４１の埋込部４２の外周面４３に傾斜面４７を介して嵌合保持され外周面がフレーム４６の保持面４５に固定される支持面４８が形成された、弾性材製（例えば、ゴム製）のシール部材４９とで構成されている。
【００６６】
動翼支持用治具４４を用いることで、支持面４８を保持面４５に固定した状態でシール部材４９をフレーム４６に挿入し、ガスタービン動翼４１をフレーム４６側に押圧することで、埋込部４２の外周面４３とシール部材４９の傾斜面４７との間に面圧が生じる状態でガスタービン動翼４１がフレーム４６に密着保持される。
【００６７】
図６に基づいて他の実施形態例を説明する。尚、図１乃至図５に示した部材と同一部材には同一符号を付して重複する説明は省略してある。
【００６８】
図に示しように、ガスタービン動翼４１の埋込部４２は断面が台形状に形成され、外周面４３が傾斜面となっている（クリスマスツリーを作成する前の状態）。
【００６９】
動翼支持用治具５１は動翼支持装置側に固定され内周面に傾斜保持面１２が形成された金属性のフレーム１３と、ガスタービン動翼４１の埋込部４２の外周面４３に傾斜面５２を介して嵌合保持され外周面にフレーム１３の傾斜保持面１２に係合する傾斜支持面１４が形成された、いわゆる楔型の弾性材製（例えば、ゴム製）のシール部材５３とで構成されている。
【００７０】
動翼支持用治具５１を用いることで、傾斜支持面１４を傾斜保持面１２に嵌合した状態でシール部材５３をフレーム１３に挿入し、ガスタービン動翼４１をフレーム１３側に押圧することで、傾斜支持面１４と傾斜保持面１２の間及び埋込部４２の外周面４３とシール部材５３の傾斜面５２との間に面圧が生じる状態で傾斜支持面１４が傾斜保持面１２に嵌合されてガスタービン動翼４１がフレーム１３に密着保持される。
【産業上の利用可能性】
【００７１】
本発明は、内部に冷却媒体が導入される空洞の通路が形成されたガスタービン動翼の冷却媒体の流量を計測するための流量計測装置及び流量計測装置における動翼支持装置及び動翼支持装置における産業分野で利用することができる。
【図面の簡単な説明】
【００７２】
【図１】本発明の一実施形態例に係る動翼支持用治具にガスタービン動翼を取り付けた状態の斜視図である。
【図２】図１の断面図である。
【図３】ガスタービン動翼を装着した状態の流量計測装置の断面図である。
【図４】図３中のIV-IV 線断面図である。
【図５】他の実施形態例に係る流量計測装置の断面図である。
【図６】他の実施形態例に係る流量計測装置の断面図である。
【図７】従来の流量計測装置の断面図である。
【符号の説明】
【００７３】
１,４１  ガスタービン動翼
２,４２  埋込部
３  シャンク
４  プラットホーム
５  翼部
６  通路
７  冷却流路
８  折り返し部
９  排出口
１０  冷却媒体流入口
１１,４４,５１  動翼支持用治具
１２  傾斜保持面
１３,４６  フレーム
１４  傾斜支持面
１５,４９,５３  シール部材
２１  流量計測装置
２２  流路
２３  流体供給源
２４  チャンバ
２６  押さえ手段
３１  アクチュエータ
３２  アーム
３３  押圧棒
４３  外周面
４５  保持面
４７,５２  傾斜面
４８  支持面
【図１】
2004332718.tif 000003
【図２】
2004332718.tif 000004
【図３】
2004332718.tif 000005
【図４】
2004332718.tif 000006
【図５】
2004332718.tif 000007
【図６】
2004332718.tif 000008
【図７】
2004332718.tif 000009